(57)【要約】【課題】簡単かつ確実に位置決めを行うことができる圧縮スリーブを提供する。【解決手段】アルミより線１０４ａ、１０４ｂの一部を取去り露出させた鋼心線１０２ａ、１０２ｂを挿入、圧縮し鋼心線同士を接続する鋼スリーブ１１と、鋼スリーブ１１及び該鋼スリーブ１１の両側に位置するアルミより線１０４ａ、１０４ｂを接続するアルミスリーブ２１と、を有し、アルミスリーブ２１は、着脱自在な３分割された分割スリーブ２１ａ、２１ｂ、２１ｃで構成され、鋼スリーブ１１で鋼心線同士を接続した後、鋼スリーブ１１を覆う分割スリーブ２１ｃを所定の位置にセットし、分割スリーブ２１ｃの一部分を圧縮、仮固定し位置決めを行い、その後、仮固定した分割スリーブ２１ｃに他の分割スリーブ２１ａ、２１ｂを連結し、連結した分割スリーブ２１全体を圧縮する。【選択図】図１
2013191421.tif 000002
【特許請求の範囲】
【請求項１】
心線部と該心線部の外周に配置された外層部とを有する同心より線からなる電線同士を接続する圧縮スリーブであって、
外層部の一部を取去り露出させた心線部を挿入、圧縮し心線部同士を接続する内スリーブと、
前記内スリーブ及び該内スリーブの両側に位置する外層部を挿通、圧縮し外層部同士を接続する外スリーブと、を有し、
前記外スリーブは、着脱自在な２分割又は３分割された分割スリーブで構成され、
前記内スリーブで心線同士を接続した後、該内スリーブを覆う前記分割スリーブを所定の位置にセットし、該分割スリーブの一部分を圧縮、仮固定し位置決めを行い、その後、仮固定した分割スリーブに他の分割スリーブを連結し、連結した分割スリーブ全体を圧縮することを特徴とする圧縮スリーブ。
【請求項２】
さらに前記内スリーブと前記外スリーブとの隙間を埋める充填材を備え、
前記内スリーブで心線同士を接続した後、該内スリーブを覆う分割スリーブを所定の位置にセットする前に、内スリーブの外周に前記充填材を取付けることを特徴とする請求項１に記載の圧縮スリーブ。
【請求項３】
前記充填材は、端部に位置決め用のストッパーを有する２分割カラーであり、
前記３分割された分割スリーブの中央部の分割スリーブの長さは、前記２分割カラーの長さと等しいことを特徴とする請求項２に記載の圧縮スリーブ。
【請求項４】
前記電線が、鋼心アルミより線であり、
前記内スリーブが、鋼心線を接続する鋼スリーブであり、
前記外スリーブが、アルミスリーブであることを特徴とする請求項１から３のいずれか１に記載の圧縮スリーブ。
【発明の詳細な説明】
【技術分野】
【０００１】
本発明は、電線同士を接続する圧縮スリーブに関し、特に電線同士を接続するときの圧縮スリーブの位置決めを容易に行うことができる圧縮スリーブに関する。
【背景技術】
【０００２】
架空送電線などの電線同士を接続する装置として圧縮スリーブがある。代表的な圧縮スリーブである、鋼心アルミより線同士を接続するＡＣＳＲ系圧縮形直線スリーブは、中心の鋼心線を圧縮接続する鋼スリーブと、アルミより線を圧縮接続するアルミスリーブとを備える。
【０００３】
ＡＣＳＲ系圧縮形直線スリーブを用いて一対の鋼心アルミより線を接続する場合には、まず、端末のアルミより線を所定の長さ切断し、鋼心線を露出させた状態で、一方の鋼心アルミより線にアルミスリーブを通す。鋼スリーブに一対の鋼心線を挿入し、鋼スリーブを圧縮し、鋼心線同士を接続する。その後、アルミスリーブを鋼スリーブ側に移動させ、アルミスリーブと鋼スリーブとの中心を一致させ、アルミスリーブを圧縮し一対の鋼心アルミより線の接続が完了する。
【０００４】
圧縮スリーブで接続した後の引張荷重は、十分な大きさ、例えば使用電線の引張荷重の９５％以上を確保しなければならないが、アルミスリーブと鋼スリーブとの中心位置がずれる偏心圧縮等が発生すると十分な強度を確保することができなくなる。アルミスリーブをセットするときアルミスリーブは、鋼スリーブ全体を覆うため、鋼スリーブを視認することができず、アルミスリーブと鋼スリーブとの中心を一致させることは簡単ではない。偏心圧縮に関しては従来から問題視されており、これまでに偏心圧縮を防止する方法も多く提案されている。
【０００５】
従来から多く用いられている偏心防止の方法としては、挿入する電線にアルミスリーブの長さの１／２の点をマーキングする方法（マーキング法）、鋼スリーブとアルミより線との間隙上にアルミスリーブのピン孔を合わせることにより偏心を防止する方法（アルミピン法）がある。
【０００６】
この他、アルミピン法に類似の方法として鋼スリーブに結合ピンが挿入する貫通孔を、アルミスリーブには結合ピンが挿入する挿入孔を設け、鋼スリーブの貫通孔とアルミスリーブの挿入孔との位置を合わせ、結合ピンを挿入することで鋼スリーブの位置決めを行うと共に位置ずれを防止する方法がある（例えば特許文献１参照）。また鋼スリーブの端部とアルミより線の端部との間にリング状の固定部を嵌め、固定部に連結した直径０．５ｍｍ以下の紐（長尺部）に覆い被せるように圧縮スリーブを移動させ、圧縮スリーブの端部を長尺部の端部と合せることで圧縮スリーブの位置決めを行う治具も開発されている（例えば特許文献２参照）。
【先行技術文献】
【特許文献】
【０００７】
【特許文献１】特開２００２−３５４６５２号公報
【特許文献２】特開２０１１−２２９２４２号公報
【発明の概要】
【発明が解決しようとする課題】
【０００８】
偏心圧縮を防止する方法のうち、マーキング法は、作業員による寸法の測り間違い、マーキング位置の間違いにより偏心圧縮が生じる恐れがある。アルミピン法と特許文献１に記載の方法は、アルミピン又は結合ピンの紛失、アルミピン又は結合ピンの挿入忘れにより偏心圧縮が生じる恐れがある。
【０００９】
特許文献２に記載の位置決め治具を用いた方法の場合、圧縮スリーブ以外に位置決め治具を準備する必要がある。さらに位置決め治具は、圧縮スリーブが圧縮されると回収することができず、１つの圧縮スリーブに対して１つの位置決め治具が必要となる。さらにアルミピン又は結合ピンと同様に、挿入忘れにより偏心圧縮が生じる恐れがある。
【００１０】
本発明の目的は、簡単かつ確実に位置決めを行うことができる圧縮スリーブを提供することである。
【課題を解決するための手段】
【００１１】
本発明は、心線部と該心線部の外周に配置された外層部とを有する同心より線からなる電線同士を接続する圧縮スリーブであって、外層部の一部を取去り露出させた心線部を挿入、圧縮し心線部同士を接続する内スリーブと、前記内スリーブ及び該内スリーブの両側に位置する外層部を挿通、圧縮し外層部同士を接続する外スリーブと、を有し、前記外スリーブは、着脱自在な２分割又は３分割された分割スリーブで構成され、前記内スリーブで心線同士を接続した後、該内スリーブを覆う前記分割スリーブを所定の位置にセットし、該分割スリーブの一部分を圧縮、仮固定し位置決めを行い、その後、仮固定した分割スリーブに他の分割スリーブを連結し、連結した分割スリーブ全体を圧縮することを特徴とする圧縮スリーブである。
【００１２】
本発明の圧縮スリーブは、外スリーブが２分割又は３分割された分割スリーブで構成されるので、１つの分割スリーブの長さが短くなる。例えば分割スリーブの連結位置を内スリーブの端部とすれば、分割スリーブの端部を内スリーブの端部に一致させるとき、内スリーブを視認することができるので、位置合わせは容易である。この状態で分割スリーブを仮固定し、他の分割スリーブを連結すれば簡単かつ確実に外スリーブの位置決めを行うことができる。従来の結合ピンのように紛失、挿入忘れなどの問題もなく確実に内スリーブと外スリーブとの中心を一致させることができる。
【００１３】
また本発明は、前記圧縮スリーブにおいて、さらに前記内スリーブと前記外スリーブとの隙間を埋める充填材を備え、前記内スリーブで心線同士を接続した後、該内スリーブを覆う分割スリーブを所定の位置にセットする前に、内スリーブの外周に前記充填材を取付けることを特徴とする。
【００１４】
本発明によれば、本発明の圧縮スリーブにおいて、内スリーブと外スリーブとの隙間を埋める充填材を使用することができるので、電線の断面積の大小によらず幅広い電線の接続に本発明の圧縮スリーブを使用することができる。
【００１５】
また本発明は、前記圧縮スリーブにおいて、前記充填材は、端部に位置決め用のストッパーを有する２分割カラーであり、前記３分割された分割スリーブの中央部の分割スリーブの長さは、前記２分割カラーの長さと等しいことを特徴とする。
【００１６】
本発明によれば、内スリーブと外スリーブとの隙間を埋める充填材に２分割カラーを使用することができるので、断面積の大きい電線にも本発明の圧縮スリーブを好適に使用することができる。さらに２分割カラーを使用するとき、３分割された分割スリーブのうち中央に位置する分割スリーブの長さを２分割カラーの長さと等しくすることで分割スリーブの位置決めを簡単かつ確実に行うことができる。
【００１７】
また本発明は、前記圧縮スリーブにおいて、前記電線が、鋼心アルミより線であり、前記内スリーブが、鋼心線を接続する鋼スリーブであり、前記外スリーブが、アルミスリーブであることを特徴とする。
【００１８】
本発明の圧縮スリーブを鋼心アルミより線を接続する圧縮スリーブとして好適に使用することができる。
【発明の効果】
【００１９】
本発明の圧縮スリーブは、外スリーブが２分割又は３分割された分割スリーブで構成されるので、１つの分割スリーブの長さが短く、内スリーブを視認しながら分割スリーブの位置合わせを行うことができるので、１の分割スリーブの位置決めを行い、これを仮固定し、他の分割スリーブを連結することで簡単かつ確実に外スリーブの位置決めを行うことができる。
【図面の簡単な説明】
【００２０】
【図１】本発明の第１実施形態である圧縮スリーブ１の構成を示す断面図である。
【図２】図１の圧縮スリーブ１の中央部の拡大図である。
【図３】図２の切断線Ａ−Ａ、切断線Ｂ−Ｂの断面図である。
【図４】本発明の第２実施形態である圧縮スリーブ２の構成を示す中央部の断面図である。
【発明を実施するための形態】
【００２１】
図１は、本発明の第１実施形態である圧縮スリーブ１の構成を示す断面図である。図２は、圧縮スリーブ１の中央部の拡大図、図３は、図２の切断線Ａ−Ａ、切断線Ｂ−Ｂの断面図である。図１から図３において、アルミスリーブ２１は圧縮前の状態である。以下、電線に鋼心アルミより線１００を使用し、２本の鋼心アルミより線１００ａ、１００ｂを直線的に接続する場合を例として、圧縮スリーブ１の構成、使用方法を説明する。
【００２２】
圧縮スリーブ１は、２本の鋼心アルミより線１００（１００ａ、１００ｂ）を直線的に接続する装置である。鋼心アルミより線１００は、中心部に鋼より線（鋼心線）１０２（１０２ａ、１０２ｂ）を配置し、その周囲にアルミより線１０４（１０４ａ、１０４ｂ）をより合せたものであり、圧縮スリーブ１は、心線である鋼心線１０２ａ、１０２ｂ同士を接続する鋼スリーブ１１と、外層部であるアルミより線１０４ａ、１０４ｂ同士を接続するアルミスリーブ２１（２１ａ、２１ｂ、２１ｃ）と、鋼スリーブ１１とアルミスリーブ２１との隙間を埋める２分割アルミカラー４１（４１ａ、４１ｂ）とを有する。
【００２３】
鋼スリーブ１１は、円筒状部材であり、中心部に隔壁１３が設けられ、隔壁１３により左右に仕切られている。鋼スリーブ１１の内径は、鋼心線１０２の外径よりも僅かに大きく、隔壁１３から端部１５ａ、隔壁１３から端部１５ｂまでの長さは同じで、左右対称である。
【００２４】
アルミスリーブ２１は、３つのアルミスリーブ２１ａ、２１ｂ、２１ｃで構成され、アルミより線１０４ａ、１０４ｂを接続するときは、３つのアルミスリーブ２１ａ、２１ｂ、２１ｃは、連結し一体化した状態で使用する。
【００２５】
アルミスリーブ２１ａ、２１ｂ、２１ｃは共に円筒状部材であり、内径はアルミより線１０４ａ、１０４ｂの外径よりも僅かに大きい。アルミスリーブ２１ａとアルミスリーブ２１ｂとは、大きさ、形態とも同一であり、鋼スリーブ１１の両側のアルミより線１０４ａ、１０４ｂを十分に覆うことができる長さを有する。アルミスリーブ２１ｃは、長さが２分割アルミカラー４１と同じである。
【００２６】
アルミスリーブ２１ｃの両端部には、外周面を削り落とす形で段差部２３ｃが設けられ、段差部２３ｃの外周面に雄ねじ２５が設けられており、アルミスリーブ２１ｃは左右対称に形成されている。アルミスリーブ２１ａ、２１ｂの一端部には、内周面を削り落とす形で段差部２３ａ、２３ｂが設けられ、段差部２３ａ、２３ｂの内周面にアルミスリーブ２１ｃの雄ねじ２５に螺合する雌ねじ２７ａ、２７ｂが設けられている。この雄ねじ２５及び雌ねじ２７ａ、２７ｂによりアルミスリーブ２１ａ、２１ｂ、２１ｃを一体的に連結することができる。
【００２７】
アルミスリーブ２１ｃには、中心部に充填剤を充填するための充填孔３１が設けられている。充填孔３１は、アルミスリーブ２１ｃの外周面３３ｃから内周面３５ｃまで貫通した貫通孔であり、貫通孔には雌ねじが設けられている。充填孔３１は、充填剤を充填後、六角穴付き止めボルト３７で塞がれる。
【００２８】
２分割アルミカラー４１は、鋼スリーブ１１とアルミスリーブ２１との隙間を埋める充填材であり、鋼スリーブ１１に覆い被せるように取付けられる。２分割アルミカラー４１は、外側が円柱状、内側が六角形の中空アルミカラーを、軸線を含むように長手方向に２分割した一対の２分割アルミカラー４１ａ、４１ｂからなる。一対の２分割アルミカラー４１ａ、４１ｂを突き合わせた状態で内側の形状が六角形となっているが、これは鋼スリーブ１１を圧縮した後の断面形状が六角形となることに対応したものである。
【００２９】
一対の２分割アルミカラー４１ａ、４１ｂは、同一の大きさ及び形態からなり、内側断面の大きさは、圧縮した鋼スリーブ１１の外周断面と略同一であり、長さは、鋼スリーブ１１よりも僅かに長い。また２分割アルミカラー４１ａ、４１ｂを組み合わせた状態で２分割アルミカラー４１の外径は、アルミより線１０４の外径よりも僅かに小さい。
【００３０】
一対の２分割アルミカラー４１ａ、４１ｂの両端部には長手方向に直交し内側に向いたストッパー４７ａ、４７ｂ、４９ａ、４９ｂが設けられ、ストッパー４７（４７ａ、４７ｂ）、４９（４９ａ、４９ｂ）の中心部には、鋼心線１０２ａ、１０２ｂを通すための半円状の溝が設けられている。このストッパー４７ａ、４７ｂ、４９ａ、４９ｂは、２分割アルミカラー４１ａ、４１ｂを鋼スリーブ１１に覆い被せるように取付けたとき、鋼スリーブ１１の端部１５ａ、１５ｂに係止する。これにより２分割アルミカラー４１ａ、４１ｂの位置が決まる。
【００３１】
圧縮スリーブ１を用いて２本の鋼心アルミより線１００ａ、１００ｂを接続する方法を説明する。各鋼心アルミより線１００ａ、１００ｂの外層部であるアルミより線１０４ａ、１０４ｂを端部から所定の長さ切断し、鋼心線１０２ａ、１０２ｂを露出させる。次に、アルミスリーブ２１ａ、２１ｃ及び２１ｂを連結可能に、アルミスリーブ２１ａを鋼心アルミより線１００ａに、アルミスリーブ２１ｂ及びアルミスリーブ２１ｃを鋼心アルミより線１００ｂに通す。このときアルミスリーブ２１ａとアルミスリーブ２１ｂとが入れ替わっても問題ない。またアルミスリーブ２１ｃを、鋼心アルミより線１００ｂに代え、鋼心アルミより線１００ａに通してもよい。
【００３２】
鋼スリーブ１１を圧縮ダイス（図示を省略）にかませ、左右の鋼心線１０２ａ、１０２ｂを鋼スリーブ１１に挿入する。このとき鋼心線１０２ａ、１０２ｂの先端部が、鋼スリーブ１１の中央の隔壁１３に当接するまで挿入する。これにより鋼スリーブ１１と２本の鋼心アルミより線１００ａ、１００ｂの位置が決まる。鋼心アルミより線１００ａ、１００ｂを水平に保持し鋼スリーブ１１の中央を圧縮し、その後、端部１５ａ、１５ｂ方向に向かって順次、鋼スリーブ１１を圧縮し、２本の鋼心線１０２ａ、１０２ｂを接続する。圧縮後の鋼スリーブ１１の端部１５ａとアルミより線１０４ａの端部との間隔、及び鋼スリーブ１１の端部１５ｂとアルミより線１０４ｂの端部との間隔は、通常１０ｍｍ以下である。
【００３３】
次に、圧縮した鋼スリーブ１１を覆うように２分割アルミカラー４１ａ、４１ｂを被せる。２分割アルミカラー４１ａ、４１ｂは、両端部にストッパー４７、４９を有するので、２分割アルミカラー４１ａ、４１ｂを取付けた後は、長手方向に移動することはない。これらにより２分割アルミカラー４１ａ、４１ｂの位置は簡単に決まる。一対の２分割アルミカラー４１ａ、４１ｂは、同じ大きさでかつ同じ形態であり、左右対称に形成されているので、上下左右を気にすることなく取付けることができる。
【００３４】
次に、２分割アルミカラー４１を覆うようにアルミスリーブ２１ｃを移動させ、アルミスリーブ２１ｃの端部を２分割アルミカラー４１の端部に合せる。アルミスリーブ２１ｃと２分割アルミカラー４１とは長さが同一であるので、アルミスリーブ２１ｃの端部と２分割アルミカラー４１の端部とを合せることは容易である。これによりアルミスリーブ２１ｃの位置決めを行うことができる。
【００３５】
次に、位置決めをしたアルミスリーブ２１ｃの一部分を圧縮ダイス（図示を省略）で圧縮し、アルミスリーブ２１ｃが動かないように仮止めする。ここでのアルミスリーブ２１ｃの圧縮は、アルミスリーブ２１ｃが動かないように仮止めするために行うものであるから、アルミスリーブ２１ｃを必要以上に長く圧縮する必要はない。アルミスリーブ２１ｃの仮止めが終了した後、他のアルミスリーブ２１ａ、２１ｂを連結し、さらに充填孔３１から充填剤を充填する。このためアルミスリーブ２１ｃを仮止めするときは、アルミスリーブ２１ａ、２１ｂとの連結及び、六角穴付き止めボルト３７のねじ込みに支障を来さないように段差部２３ｃと充填孔３１との間を圧縮することが好ましい。
【００３６】
アルミスリーブ２１ｃの仮止めが終了した後に、アルミスリーブ２１ｃの一方の雄ねじ２５とアルミスリーブ２１ａの雌ねじ２７ａ、アルミスリーブ２１ｃの他方の雄ねじ２５とアルミスリーブ２１ｂの雌ねじ２７ｂとを螺合させ、アルミスリーブ２１ａ、２１ｂ、２１ｃを一体的に連結させる。これによりアルミスリーブ２１の中心位置と鋼スリーブ１１との中心位置が一致する。
【００３７】
次に、アルミスリーブ２１ｃの充填孔３１から充填剤を充填し、充填後、充填孔３１に六角穴付き止めボルト３７をねじ込む。鋼心アルミより線１００ａ、１００ｂを水平に保持しアルミスリーブ２１の中央部を圧縮し、その後、端部方向に向かって順次、アルミスリーブ２１を圧縮し、２本のアルミより線１０４ａ、１０４ｂを接続する。以上の操作より、２本の鋼心アルミより線１００ａ、１００ｂの接続が完了する。
【００３８】
上記のように圧縮スリーブ１は、鋼スリーブ１１が長手方向中心部に位置決め用の隔壁１３を備え、２分割アルミカラー４１が位置決め用のストッパー４７、４９を両端部に備え、さらにアルミスリーブ２１ｃを位置決めした後、仮固定し、これにアルミスリーブ２１ａ、２１ｂを連結するので、従来問題となっていたアルミスリーブ２１の位置決めも含め、圧縮スリーブ１の位置決めを簡単かつ確実に行うことができる。
【００３９】
アルミスリーブ２１ｃを位置決めするとき、２分割アルミカラー４１が視認可能であり、さらにアルミスリーブ２１ｃと２分割アルミカラー４１との長さが同一であるので、アルミスリーブ２１ｃの位置決めは簡単である。
【００４０】
圧縮スリーブ１は、従来の圧縮スリーブと異なり位置決めを行うための結合ピンを必要としないので、結合ピンの紛失、挿入忘れの心配もない。本実施形態の圧縮スリーブ１において、２分割アルミカラー４１の両端部にストッパー４７、４９が設けられているが、２分割アルミカラー４１の一方の端部にのみストッパー４７（４９）を設け、他方には、２分割アルミカラー４１を取付けた後に軟アルミ線を巻き付けてもよい。２分割アルミカラー４１の一方の端部にのみストッパー４７（４９）を設けるときも、２分割アルミカラー４１及びアルミスリーブ２１の取付け方向は特に問われない。
【００４１】
図４は、本発明の第２実施形態である圧縮スリーブ２の構成を示す中央部の断面図である。図１から図３と同様に、アルミスリーブ２２は、圧縮前の状態である。図１から図３に示す第１実施形態の圧縮スリーブ１と同一の構成には、同一の符号を付して説明を省略する。以下、電線に鋼心アルミより線１００を使用し、２本の鋼心アルミより線１００ａ、１００ｂを直線的に接続する場合を例として、第１実施形態の圧縮スリーブ１と異なる点を中心に説明する。
【００４２】
第２実施形態の圧縮スリーブ２も第１実施形態の圧縮スリーブ１と同様に、２本の鋼心アルミより線１００ａ、１００ｂを直線的に接続する装置であり、圧縮スリーブ２の基本的構成、使用方法、位置決めの要領も圧縮スリーブ１と同じである。第１実施形態の圧縮スリーブ１では、アルミスリーブ２１が３つのアルミスリーブ２１ａ、２１ｂ、２１ｃで構成されているのに対して、第２実施形態の圧縮スリーブ２では、アルミスリーブ２２が２つのアルミスリーブ２２ａ、２２ｂで構成されている。
【００４３】
アルミスリーブ２２ｂは、概ねアルミスリーブ２１ｃとアルミスリーブ２１ｂとを連結し一体化させた形態からなる。但し、第２実施形態の圧縮スリーブ２では、２分割アルミカラー４１を有していない関係から、アルミスリーブ２２ｂを位置決めするとき、アルミスリーブ２２ｂの端部をアルミより線１０４ａの端部に一致させる。このためアルミスリーブ２２ｂは、アルミスリーブ２１ｃとアルミスリーブ２１ｂとを連結した長さよりも若干長く、逆にアルミスリーブ２２ａは、アルミスリーブ２１ａに比較して若干短くなっている。端部に段差部２３ａ、２３ｃが設けられ、ここに雄ねじ２５、雌ねじ２７ａが設けられている点もアルミスリーブ２１と同じである。
【００４４】
さらに第２実施形態の圧縮スリーブ２では、２分割アルミカラー４１を有しておらず、代わりに軟アルミ線６１が鋼スリーブ１１の外周を覆っている。
【００４５】
軟アルミ線６１は、２分割アルミカラー４１と同様に鋼スリーブ１１とアルミスリーブ２２ｂとの隙間を埋める充填材であり、第１実施形態の圧縮スリーブ１と同様に、鋼スリーブ１１を用いて２本の鋼心線１０２ａ、１０２ｂを接続した後に、鋼スリーブ１１の外周に巻き付ける。このとき鋼スリーブ１１の端部１５ａとアルミより線１０４ａ、鋼スリーブ１１の端部１５ｂとアルミより線１０４ｂとの隙間にも軟アルミ線６１を巻き付け、隙間を埋めることが好ましい。
【００４６】
圧縮スリーブ２の使用方法、２本の鋼心アルミより線１００ａ、１００ｂの接続要領は、２分割アルミカラー４１の代わりに軟アルミ線６１を使用する点を除けば、圧縮スリーブ１と同一であり、作用効果も圧縮スリーブ２と圧縮スリーブ１とで基本的に同じである。
【００４７】
圧縮スリーブ２のアルミスリーブ２２ｂの位置決めは、アルミスリーブ２２ｂの端部をアルミより線１０４ａの端部に一致させることで行い、アルミスリーブ２２ｂを仮止めするときは、充填孔３１と段差部２３ｃとの間を圧縮し、仮止めすればよい。
【００４８】
心線部と該心線部の外周に配置された外層部とを有する同心より線からなる電線同士を接続する従来の圧縮スリーブにおいて、電線の断面積が小さいときには充填材である２分割アルミカラー４１及び／又は軟アルミ線６１が使用されていない。本実施形態に示す圧縮スリーブ１、２も従来の圧縮スリーブと同様の使い方ができる。
【００４９】
第１実施形態の圧縮スリーブ１では、鋼スリーブ１１とアルミスリーブ２１ｃとの隙間を埋める充填材として２分割アルミカラー４１を使用するが、第２実施形態の圧縮スリーブ２と同様に、２分割アルミカラー４１に代え、軟アルミ線６１を用いることもできる。逆に第２実施形態の圧縮スリーブ２では、鋼スリーブ１１とアルミスリーブ２２ｂとの隙間を埋める充填材として軟アルミ線６１を用いる例を示したけれども、第２実施形態の圧縮スリーブ２において、２分割アルミカラー４１を使用してもよいことは当然である。
【００５０】
以上、２つの実施形態を用いて本発明の圧縮スリーブを説明したけれども、本発明の圧縮スリーブは、上記実施形態に限定されるものではない。本発明の圧縮スリーブの特徴は、アルミスリーブを連結可能な２つ以上のアルミスリーブで構成し、２分割アルミカラー４１又はアルミより線１０４の端部が視認できる状態で一のアルミスリーブの端部を２分割アルミカラー４１又はアルミより線１０４の端部に合せ、これを部分的に圧縮し仮固定し、アルミスリーブの位置決めを行う点にある。よって、第１実施形態のアルミスリーブ２１において、中央に位置するアルミスリーブ２１ｃの長さを２分割アルミカラー４１よりも短くし、逆に長くしてもよい。
【００５１】
また上記実施形態では、電線に鋼心アルミより線を使用する例を示したが、電線は鋼心アルミより線に限定されるものではなく、心線部と該心線部の外周に配置された外層部とを有する同心より線からなる電線同士の接続に本発明の圧縮スリーブを使用することができる。上記実施形態では、心線が鋼材であったため鋼スリーブを、外層部がアルミより線であったため２分割アルミカラー、アルミスリーブを使用するが、心線部及び外層部の材質が変われば、心線を接続するスリーブである内スリーブの材質には、心線の材質と同じか類似のものを、外層部を接続するスリーブである外スリーブの材質には、外層部の材質と同じか類似のものを使用すればよい。
【符号の説明】
【００５２】
１  圧縮スリーブ
２  圧縮スリーブ
１１  鋼スリーブ
１３  隔壁
１５ａ、１５ｂ  鋼スリーブの端部
２１、２１ａ、２１ｂ、２１ｃ  アルミスリーブ
２２  ２２ａ、２２ｂ  アルミスリーブ
２３ａ、２３ｂ  段差部
２５  雄ねじ
２７ａ、２７ｂ  雌ねじ
４１、４１ａ、４１ｂ  ２分割アルミカラー
４７、４７ａ、４７ｂ  ２分割アルミカラーのストッパー
４９、４９ａ、４９ｂ  ２分割アルミカラーのストッパー
６１  軟アルミ線
１００、１００ａ、１００ｂ  鋼心アルミより線
１０２、１０２ａ、１０２ｂ  鋼より線、鋼心線
１０４、１０４ａ、１０４ｂ  アルミより線
【図１】
2013191421.tif 000003
【図２】
2013191421.tif 000004
【図３】
2013191421.tif 000005
【図４】
2013191421.tif 000006